(57)【要約】      （修正有） 【課題】折り込まれた両側面部を押し開き手段により押し開いて箱形スタンド状広告媒体が簡単に自立できる。【解決手段】箱形スタンド状広告媒体は複数の棚部材の装着面部１ａと、背面部１ｂと、２つの側面部とを有し、前記２つの側面部は内側に折り畳み可能とする折り目２を備え、折り畳まれた状態の２つの側面部を押し開き、広告媒体を自立可能とするための押し開き手段３を備えており、押し開き手段３は、前記箱形スタンド状広告媒体の内側への折り曲げおよび内側から外側に向かう展開が可能であり、内側からの展開時に前記２つの側面部の内面に側縁が当接し、折り畳まれた２つの側面部を押し広げ、内側からの展開後に前記側面部の折り目２付近に位置する先端部を有する押し開き板部４と、押し開き板部を展開方向に付勢する付勢手段５とを有する自立可能な箱形スタンド状広告媒体。【選択図】図１
0003129591.tif 000002
【実用新案登録請求の範囲】
【請求項１】
複数の棚部材を装着可能である長手方向に延びる装着面部と、該装着面部と向かい合う背面部と、前記装着面部および前記背面部を側部において連結する２つの側面部とを有し、シート材にて構成された自立可能な箱形スタンド状広告媒体であって、
前記２つの側面部は、長手方向全長に渡り延びかつ長手方向に沿ってほぼ二分する位置にて、前記側面部を内側に折り畳み可能とする折り目を備え、
前記箱形スタンド状広告媒体は、折り畳まれた状態の２つの前記側面部を押し開き、前記箱形スタンド状広告媒体を自立可能な状態とするための押し開き手段を備えており、
該押し開き手段は、前記装着面部もしくは前記背面部の下端と連続し、前記箱形スタンド状広告媒体の内側への折り曲げおよび内側から外側に向かう展開が可能であり、内側からの展開時に前記２つの側面部の内面に側縁が当接し、折り畳まれた２つの前記側面部を押し広げ可能であり、かつ、内側からの展開後に前記側面部の前記折り目付近に位置する先端部を有する押し開き板部と、該押し開き板部を前記箱形スタンド状広告媒体の内側から外側に向かう展開方向に付勢する付勢手段とを有することを特徴とする自立可能な箱形スタンド状広告媒体。
【請求項２】
前記押し開き板部は、前記装着面部もしくは前記背面部の下端と同じ幅の基端部を有し、かつ、前記先端部に向かって徐々に若干幅が狭くなっている請求項１に記載の自立可能な箱形スタンド状広告媒体。
【請求項３】
前記押し開き板部は、前記装着面部もしくは前記背面部の下端全幅より若干短い幅の基端部を有し、かつ、前記先端部までほぼ同じ幅にて延びるものとなっている請求項１に記載の自立可能な箱形スタンド状広告媒体。
【請求項４】
前記押し開き板部は、前記装着面部もしくは前記背面部の下端と同じ幅の基端部を有し、かつ、前記先端部までほぼ同じ幅にて延びるものとなっている請求項１に記載の自立可能な箱形スタンド状広告媒体。
【請求項５】
前記押し開き板部の前記装着面部もしくは前記背面部の下端と連続する基端部と前記先端部までの長さは、前記側面部の基端から前記折り目の基端までの長さより若干短いものとなっている請求項１ないし４のいずれかに記載の自立可能な箱形スタンド状広告媒体。
【請求項６】
前記押し開き板部の前記先端部の２つの角部は、円弧状となっている請求項１ないし５のいずれかに記載の自立可能な箱形スタンド状広告媒体。
【請求項７】
前記押し開き板部は、前記装着面部もしくは前記背面部の下端と同じ幅の基端部を有し、前記押し開き板部先端部の２つの角部は、円弧状となっており、前記記押し開き板部の側部は、前記先端部に向かって徐々に若干幅が狭くなる傾斜状となっている請求項１に記載の自立可能な箱形スタンド状広告媒体。
【請求項８】
前記押し開き板部は、前記装着面部の下端と一体に形成されているとともに、前記装着面部と前記押し開き板部を区分する折り目を備え、該折り目によって内側に屈曲可能となっている請求項１ないし７のいずれかに記載の自立可能な箱形スタンド状広告媒体。
【請求項９】
前記付勢手段は、一端部が前記装着面部の下端部内面に固定され、他端部が前記押し開き板部の基端部内面に固定され、かつ、前記装着面部の下端部に位置する屈曲部を有する板バネである請求項１ないし８のいずれかに記載の自立可能な箱形スタンド状広告媒体。
【請求項１０】
前記付勢手段は、前記押し開き板部の２つの側部にそれぞれ設けられている請求項１ないし９のいずれかに記載の自立可能な箱形スタンド状広告媒体。
【考案の詳細な説明】
【技術分野】
【０００１】
この考案は、折り畳んだ箱形広告媒体を自動的に開いて立てることができる自立可能な箱形スタンド状広告媒体に関する。
【背景技術】
【０００２】
従来、シート状素材を用いて商品陳列装置を形成したものとして、下枠部、左右の支持枠部、上枠部からなる支持フレームを形成し、支持フレームの取付けスペースにストッカを支持枠部にビス等でねじ止めする。左右の支持枠部には衝立部を背面側に設けるものが提案されている（特許文献１参照）。
【０００３】
【特許文献１】特開２００１−２５２１５６
【考案の開示】
【考案が解決しようとする課題】
【０００４】
特許文献１では、下枠部、左右の支持枠部、上枠部からなる支持フレームを組み立て、左右の支持枠部には衝立部を背面側に設けるので、部品数が多く、各部品の組み立てに手間がかかり、簡単に組み立てて立てることができず、一旦組み立てると折り畳んで収納は容易にできず、使い勝手が悪いという問題がある。
【０００５】
この考案は、このような問題点を解消するために、箱形広告媒体の内部で押し開き手段を付勢手段により内側から外側に向かって展開させて折り畳んだ箱形広告媒体を自動的に開いて立てることができる自立可能な箱形スタンド状広告媒体を提供することを目的とする。
【課題を解決するための手段】
【０００６】
上記目的を達成するものは、以下のものである。
（１）  自立可能な箱形スタンド状広告媒体は、複数の棚部材を装着可能である長手方向に延びる装着面部と、該装着面部と向かい合う背面部と、前記装着面部および前記背面部を側部において連結する２つの側面部とを有し、シート材にて構成された自立可能な箱形スタンド状広告媒体であって、
前記２つの側面部は、長手方向全長に渡り延びかつ長手方向に沿ってほぼ二分する位置にて、前記側面部を内側に折り畳み可能とする折り目を備え、
前記箱形スタンド状広告媒体は、折り畳まれた状態の２つの前記側面部を押し開き、前記箱形スタンド状広告媒体を自立可能な状態とするための押し開き手段を備えており、
該押し開き手段は、前記装着面部もしくは前記背面部の下端と連続し、前記箱形スタンド状広告媒体の内側への折り曲げおよび内側から外側に向かう展開が可能であり、内側からの展開時に前記２つの側面部の内面に側縁が当接し、折り畳まれた２つの前記側面部を押し広げ可能であり、かつ、内側からの展開後に前記側面部の前記折り目付近に位置する先端部を有する押し開き板部と、該押し開き板部を前記箱形スタンド状広告媒体の内側から外側に向かう展開方向に付勢する付勢手段とを有することを特徴とする自立可能な箱形スタンド状広告媒体。
【０００７】
（２）  前記押し開き板部は、前記装着面部もしくは前記背面部の下端と同じ幅の基端部を有し、かつ、前記先端部に向かって徐々に若干幅が狭くなっている上記（１）に記載の自立可能な箱形スタンド状広告媒体。
(３)   前記押し開き板部は、前記装着面部もしくは前記背面部の下端全幅より若干短い幅の基端部を有し、かつ、前記先端部までほぼ同じ幅にて延びるものとなっている上記（１）に記載の自立可能な箱形スタンド状広告媒体。
（４）  前記押し開き板部は、前記装着面部もしくは前記背面部の下端と同じ幅の基端部を有し、かつ、前記先端部までほぼ同じ幅にて延びるものとなっている上記（１）に記載の自立可能な箱形スタンド状広告媒体。
【０００８】
（５）  前記押し開き板部の前記装着面部もしくは前記背面部の下端と連続する基端部と前記先端部までの長さは、前記側面部の基端から前記折り目の基端までの長さより若干短いものとなっている上記（１）ないし（４）のいずれかに記載の自立可能な箱形スタンド状広告媒体。
（６）  前記押し開き板部の前記先端部の２つの角部は、円弧状となっている上記（１）ないし（５）のいずれかに記載の自立可能な箱形スタンド状広告媒体。
【０００９】
（７）  前記押し開き板部は、前記装着面部もしくは前記背面部の下端と同じ幅の基端部を有し、前記押し開き板部先端部の２つの角部は、円弧状となっており、前記記押し開き板部の側部は、前記先端部に向かって徐々に若干幅が狭くなる傾斜状となっている上記（１）に記載の自立可能な箱形スタンド状広告媒体。
（８）  前記押し開き板部は、前記装着面部の下端と一体に形成されているとともに、前記装着面部と前記押し開き板部を区分する折り目を備え、該折り目によって内側に屈曲可能となっている上記（１）ないし（７）のいずれかに記載の自立可能な箱形スタンド状広告媒体。
【００１０】
（９）  前記付勢手段は、一端部が前記装着面部の下端部内面に固定され、他端部が前記押し開き板部の基端部内面に固定され、かつ、前記装着面部の下端部に位置する屈曲部を有する板バネである上記（１）ないし（８）のいずれかに記載の自立可能な箱形スタンド状広告媒体。
（１０） 前記付勢手段は、前記押し開き板部の２つの側部にそれぞれ設けられている上記（１）ないし（９）のいずれかに記載の自立可能な箱形スタンド状広告媒体。
【考案の効果】
【００１１】
この考案の自立可能な箱形スタンド状広告媒体によれば、長手方向全長に渡り延びかつ長手方向に沿ってほぼ二分する位置にて内側に折り畳み可能とする折り目を備えた側面部を有する箱形スタンド状広告媒体を押し開き手段を展開して折り畳まれた状態の２つの前記側面部を押し開き簡単に自立させることができる。
押し開き手段は、押し開き板部と付勢手段とを有し、折り畳まれた広告媒体を付勢手段の復元力で押し開き板部を内側から外側に展開して側縁により広告媒体の側面部を自動的に押圧して広げ、箱形スタンド状広告媒体を安定して立てることができる。箱形スタンド状広告媒体の装着面部の底部側に押し開き手段を備えて、押し開き手段を展開することにより装着面部に装着する棚部材、その棚部材に載せる商品等の荷重の支えの補強とすることができる。
【考案を実施するための最良の形態】
【００１２】
この考案の自立可能な箱形スタンド状広告媒体の実施形態を図面に基づいて説明する。図１はこの考案の自立可能な箱形スタンド状広告媒体の一実施形態で、広告媒体を開いて立てた状態の斜視図、図２は広告媒体を開いた状態の底面側斜視図、図３は押し開き部材の開放状態で要部を示す斜視図、図４は先端を幅狭とした押し開き板部を備えた広告媒体を示す横断面図、図５は幅狭で長くした押し開き板部を備えた広告媒体を示す横断面図、図６は装着面部の基端とほぼ同じ幅とした押し開き板部を備えた広告媒体を示す横断面図、図７は広告媒体を折り畳んだ状態の底面側斜視図である。
【００１３】
図１ないし図７において、この考案の自立可能な箱形スタンド状広告媒体は、厚紙、段ボール紙等シート材で構成され、複数の棚部材、受け部材等各種取付部材を装着するものである。
箱形スタンド状広告媒体１は、厚紙、段ボール紙等シート材で、複数の棚部材を装着可能である長手方向に延びる装着面部１ａと、該装着面部と向かい合う背面部１ｃと、前記装着面部および前記背面部を側部において連結する２つの側面部１ｂとを有し、断面角筒状として構成される。
そして、前記２つの側面部１ｂは、長手方向全長に渡り延びかつ長手方向に沿ってほぼ二分する位置にて、前記側面部を内側に折り畳み可能とする折り目２を備えている。前記折り目２は前記広告媒体１の両側面部（襠部）１ｂの長手方向全長に渡り延びかつ長手方向に沿ってほぼ二分する位置に設けられ、内側に屈折されて折り畳み可能に設けられている。
この実施形態の箱形スタンド状広告媒体１は両側面部１ｂの上部の幅が狭く、底部の幅を広くして台形状とし、かつ背面部１ｃが床面に対してほぼ垂直とされ、装着面部１ａが傾斜状に構成されている。
【００１４】
前記箱形スタンド状広告媒体１は、折り畳まれた状態の２つの前記側面部１ｂを押し開き、前記箱形スタンド状広告媒体１を自立可能な状態とするための押し開き手段３を備えている。
該押し開き手段３は、前記装着面部１ａもしくは前記背面部１ｃの下端と連続し、前記箱形スタンド状広告媒体１の内側への折り曲げおよび内側から外側に向かう展開が可能であり、内側からの展開時に前記２つの側面部の内面に側縁４ｂが当接し、折り畳まれた２つの前記側面部１ｂを押し広げ可能であり、かつ、内側からの展開後に前記側面部１ｂの前記折り目２付近に位置する先端部４ａを有する押し開き板部４と、該押し開き板部４を前記箱形スタンド状広告媒体１の内側から外側に向かう展開方向に付勢する付勢手段５とを有する。
箱形スタンド状広告媒体１の折り畳み時に押し開き板部４は、付勢手段５の復元力に抗して折り畳まれ、箱形スタンド状広告媒体１の両側面部１ｂが折り目２より内側に折り曲げられて折り畳まれる。
箱形スタンド状広告媒体１が自立するときは、付勢手段５の復元力により押し開き板部４が展開されて、箱形スタンド状広告媒体１の両側面部１ｂの内側に折り曲げた折り目２が外側に押されて箱形スタンド状広告媒体１の底面部がほぼ四角形に広げられる。
【００１５】
図１ないし図４において、前記押し開き板部４は、前記装着面部１ａもしくは前記背面部１ｃの下端と同じ幅の基端部４ｃを有し、かつ、前記先端部４ａに向かって徐々に若干幅が狭くなっている。この押し開き板部４によれば、傾斜している側縁４ｂが箱形スタンド状広告媒体１の両側面部１ｂに当接して箱形スタンド状広告媒体１の両側面部１ｂが若干内側に折れ曲がった状態となって立てられる。
前記押し開き板部４の前記装着面部１ａもしくは前記背面部１ｃの下端と連続する基端部４ｃと前記先端部４ａまでの長さは、前記側面部１ｂの基端から前記折り目２の基端までの長さより若干短いものとなっている。この押し開き板部４によれば、側縁４ｂが箱形スタンド状広告媒体１の両側面部１ｂの基端から前記折り目２の基端までの間に当接して箱形スタンド状広告媒体１の両側面部１ｂを確実に押し広げる。前記押し開き板部４の前記先端部４ａの２つの角部は、円弧状となっている。この構造とすることにより、押し開き板部４を内側から外側に展開するとき、先端部４ａが両側面部１ｂに当接しながら両側面部１ｂを側方へ円滑に押し広げることができる。
【００１６】
前記押し開き板部４は、前記装着面部１ａもしくは前記背面部１ｃの下端と同じ幅の基端部４ｃを有し、前記押し開き板部先端部４ａの２つの角部は、円弧状となっており、前記記押し開き板部４の側縁４ｂは、前記先端部４ａに向かって徐々に若干幅が狭くなる傾斜状となっている。この構造とすることにより、押し開き板部４を内側から外側に展開するとき、先端部４ａが両側面部１ｂに当接しながら両側面部１ｂを側方へ円滑に押し広げることができる。
前記押し開き板部４は、前記装着面部１ａの下端と一体に形成されているとともに、前記装着面部１ａと前記押し開き板部４を区分する折り目６を備え、該折り目６によって内側に屈曲可能となっている。
【００１７】
箱形スタンド状広告媒体の折り畳み時に押し開き板部４は、付勢手段５の復元力に抗して折り目６より折り畳まれ、箱形スタンド状広告媒体の両側面部１ｂが折り目２より内側に折り曲げられて折り畳まれる。押し開き板部４が約９０度展開されて例えば床面に当接したとき、両側縁４ｂが若干内側に折れた状態またはほぼ直線状に開かれた側面部１ｃの内面を押した状態で保持される。
前記押し開き板部４は広告媒体１の底部の装着面部側に備え、押し開き板部４を展開して立てたとき、装着面部に装着する棚部材、その棚部材に載せる商品等の荷重を支えるようにするのが好ましい。押し開き板部４は展開した時、広告媒体の支えとなり、広告媒体の補強の役目をさせることができる。
前記押し開き板４は装着面部側に設けたが、これに限られるものでなく、背面部側に設けてもよい。また、押し開き板４は広告媒体の底面の装着面部側と背面部側に相対向して折り畳み、展開可能に設けることもできる。前記押し開き板部４は、箱形スタンド状広告媒体１内で、装着面部の底部基端の折り目６から折り目２を超える長さとすることもできる。
【００１８】
前記押し開き板部４は、前記装着面部１ａもしくは前記背面部１ｃの下端全幅より若干短い幅の基端部４ｃを有し、かつ、前記先端部４ａまでほぼ同じ幅にて延びるものとすることもできる。
図５において、押し開き板部４として、前記先端部４ａまでほぼ同じ幅で、先端部４ａが折り目２を越える長さとした押し開き板部４Ａが設けられている。この押し開き板部４Ａによれば、基端部４ｃより若干短い幅とし側縁４ｂが箱形スタンド状広告媒体１の両側面部１ｂに当接して箱形スタンド状広告媒体１の両側面部１ｂが若干内側に折れ曲がった状態となって立てられる。
【００１９】
図６において、前記押し開き板部４は、前記装着面部１ａもしくは前記背面部１ｃの下端と同じ幅の基端部を有し、かつ、前記先端部までほぼ同じ幅にて延びた押し開き板部４Ｂが設けられている。この押し開き板部４Ｂによれば、基端部が装着面部１ａもしくは前記背面部１ｃの下端と同じ幅とされているので、側縁が箱形スタンド状広告媒体１の両側面部１ｂに当接して箱形スタンド状広告媒体の両側面部１ｂがほぼ真っ直ぐの状態となって立てられる。
【００２０】
前記付勢手段５は、一端部が前記装着面部１ａの下端部内面に固定され、他端部が前記押し開き板部４の基端部内面に固定され、かつ、前記装着面部１ａの下端部に位置する屈曲部を有する板バネである。
前記付勢手段５は、前記押し開き板部の２つの側部にそれぞれ設けられている。板バネは各側部に１枚或いは複数枚設けることができる。
前記板バネは、角部５ａを支点としてＬ型に屈曲した板バネで、復元力に抗して２つ折りに折り畳み可能であり、復元力で約９０度開くことが可能としたものである。板バネの一端を箱形スタンド状広告媒体１の装着面部１ａの内面に固定し、かつ他端を押し開き板部４の内面に固定して、押し開き板部４を装着面部１ａに対して折り畳み、装着面部１より外側に向かって展開可能に備えられる。板バネは押し開き板部４の両側に設けて、広告媒体１の両側の側面部１ｂを均等に押し開くことができるようにするのが好ましい。
図７に示すように箱形スタンド状広告媒体１の折り畳み時に、板バネが角部５ａで屈折して２つ折りとされ、押し開き板部４が折り目６より広告媒体の内面に当てるように折り畳まれ、それとともに箱形スタンド状広告媒体１の両側面部１ｂが折り目２より内側にくの字状に折り曲げられて箱形スタンド状広告媒体１が扁平に折り畳まれる。
【００２１】
箱形スタンド状広告媒体１には  棚部材、受け部材等各種取付部材を装着するために、広告媒体１の装着面部、或いは上面等に装着部が設けられる。
例えば、図１において、箱形スタンド状広告媒体１の装着面部１ａが傾斜状とされ、その両側端に一定の間隔をおいて、差し込み孔１０が設けられる。別に厚紙、段ボール紙等シート部材で構成され、前後面と両側に設けた折り目で折り曲げて装着面部壁、側面壁、背面壁とが構成され後部の両側に係止部１２を有する棚部材１１が設けられる。該棚部材１１の係止部１２が前記広告媒体１の差し込み孔１０に差し込み支持されて棚部材付き箱形スタンド状広告媒体が構成される。棚部材、その棚部材に載せる商品等の荷重が広告媒体の装着面部１ａにかかるが、箱形スタンド状広告媒体の装着面部の底部側に押し開き板部４を備えて、押し開き板部４の展開した時、広告媒体の支えとなり、広告媒体の補強の役目をさせることができる。
【００２２】
また、箱形スタンド状広告媒体１の上面には、広告体１３を差し込む差し込み孔が設けられ（図示せず）、広告体１３が取り付けられる。
広告体１３は底面が前記スタンド１の上部前後面と側面の幅と同じとされた３角柱の箱体で、その底部に差し込み片が設けられ（図示せず）、前記箱形スタンド状広告媒体の上面の差し込み孔に差し込んで備えられている。広告体と前記箱形スタンド状広告媒体には装着面部等に広告、図案、写真等の印刷を施すことができる。
前記実施形態では、装着面部に棚部材１１、上面に広告体１３を取り付ける場合を示したが、これは一例であって、各種の取付部材、例えば商品を吊り下げ展示するフック、本を立てる本棚等を取り付けることができる。装着面部、上面には、これらの取付部材を取り付けるために適宜位置に取付孔、差し込み孔などを設けて、取付部材を脱着可能或いは、固定して取付けることは自由にできる。
【００２３】
図８ないし図１２において、この考案の自立可能な箱形スタンド状広告媒体の別の実施形態を示す。図８はこの考案の自立可能な箱形スタンド状広告媒体の別の実施形態で、広告媒体を開いて立てた状態の斜視図、図９は広告媒体を開いた状態の底面側斜視図、図１０は押し開き部材の開放状態で要部を示す斜視図、図１１は先端を幅狭とした押し開き板部を備えた広告媒体を示す横断面図、図１２は広告媒体を折り畳んだ状態の底面側斜視図である。この実施形態では、前記箱形スタンド状広告媒体１は、両側面部１ｂが上部から下部まで同一幅の角筒で、上面に受け部材１４が装着される。
【００２４】
図８ないし図１１において、この実施形態における前記押し開き手段３は、押し開き板部４Ｃと付勢手段５とからなる。押し開き板部４Ｃは箱形スタンド状広告媒体１とは別に設けられる板体であり、押し開き板部４Ｃは開く側は、前記押し開き板部４、４Ａと同じであり、広告媒体１の装着面部１ａの底部に固着するために、折り目６’を介して接着部４ｄが設けられている。実施形態では、押し開き板部４Ｃは折り目６’でＬ型に屈曲して設けられ、その接着部４ｄが箱形スタンド状広告媒体の装着面部の底部内面に固着され、折り目６’より先の押し開き板部４Ｃが折り畳み、または展開可能に設けられる。
【００２５】
前記付勢手段５は、前記実施形態と同様の構造である。前記付勢手段５の板バネの一端が押し開き板部４Ｃの接着部４ｄと箱形スタンド状広告媒体１の装着面部１ａとの内面に、かつ、他端が押し開き板部４Ｃの内面に接着剤等で固着される。板バネは押し開き板の両側部に設けて、広告媒体１の両側の側面部１ｂを均等に押し開くことができるようにするのが好ましい。付勢手段５の板バネは二枚一組として備えたが、これに限られるものではない。
【００２６】
図８において、受け部材１４は、前記箱形スタンド状広告媒体１とは別に厚紙、段ボール紙等シート部材で構成され、前後面と両側に設けた折り目で折り曲げて装着面部壁、側面壁、背面壁とが構成され後部の下部に差し込み片を有する。前記広告媒体１の上面の中央後部に受け部材１４の差し込み片１５を差し込む差し込み孔１６が設けられ、箱形スタンド状広告媒体１の上面に受け部材１４を載置した状態で展示できるようにする。
また、受け部材１４の上面に差し込み孔を設け、広告体１７を差し込んで立てるようにしてある。
【００２７】
前記したこの考案の自立可能なスタンド状広告媒体は、収納保管時は、箱形スタンド状広告媒体１の装着面部と背面部が近づく方向に押さえて、両側部部１ｂを内側に屈折し、同時に底部の押し開き板部４を付勢手段５に抗して折り畳んで、スタンド状広告媒体を折り畳んで小容積とし、この折り畳んだ状態で例えば、包装箱に収納、保管するか、或いは、紐等で縛っておく。このとき、箱形スタンド状広告媒体に装着する棚部材等の取付部材は、予め取り外して包装箱に収納、保管する。
【００２８】
この考案の自立可能なスタンド状広告媒体を使用する時は、装着面部と背面部が近づく方向に押さえる力を解除すると、付勢手段５の復元力で押し開き板部４が展開されて押し開き板部４の両側縁４ｂで折り畳まれた広告媒体１の側面部１ｂが外側に押し広げられ、箱形スタンド状広告媒体１が自動的に組み立てらてる。そして、その箱形スタンド状広告媒体１の装着面に棚部材１１、上面に受け部材１４等が適宜取付けられる。
この広告媒体の装着面部、上面等に適宜棚部材、受け部材、フック等を取付けて商品の展示するスタンド状広告媒体を組み立てる。
また、箱形スタンド状広告媒体の装着面部の底部側に押し開き板部を備えて、押し開き板部を展開することにより装着面部に装着する棚部材、その棚部材に載せる商品等の荷重の支えの補強とすることができる。
【００２９】
この考案は上記実施形態に限定されるものではなく、この考案の要旨を逸脱しない範囲で、種々の形態を実施しうるものである。
【図面の簡単な説明】
【００３０】
【図１】この考案の自立可能な箱形スタンド状広告媒体の一実施形態で、広告媒体を開いて立てた状態の斜視図である。
【図２】広告媒体を開いた状態の底面側斜視図である。
【図３】押し開き部材の開放状態で要部を示す斜視図である。
【図４】先端を幅狭とした押し開き板部を備えた広告媒体を示す横断面図である。
【図５】幅狭で長くした押し開き板部を備えた広告媒体を示す横断面図である。
【図６】装着面部の基端とほぼ同じ幅とした押し開き板部を備えた広告媒体を示す横断面図である。
【図７】広告媒体を折り畳んだ状態の底面側斜視図である。
【図８】この考案の自立可能な箱形スタンド状広告媒体の別の実施形態で、広告媒体を開いて立てた状態の斜視図である。
【図９】広告媒体を開いた状態の底面側斜視図である。
【図１０】押し開き部材の開放状態で要部を示す斜視図である。
【図１１】先端を幅狭とした押し開き板部を備えた広告媒体を示す横断面図である。
【図１２】広告媒体を折り畳んだ状態の底面側斜視図である。
【符号の説明】
【００３１】
１  箱形スタンド状広告媒体
１ａ  装着面部
１ｂ 背面部
１ｃ  側面部
２  折り目
３  押し開き手段
４  押し開き板部 
４ａ  先端部
４ｂ  側縁
４ｃ  基端部
４Ａ  押し開き板部
４Ｂ  押し開き板部
４Ｃ   押し開き板部
５  付勢手段
６  折り目
６’  折り目
【図１】
0003129591.tif 000003
【図２】
0003129591.tif 000004
【図３】
0003129591.tif 000005
【図４】
0003129591.tif 000006
【図５】
0003129591.tif 000007
【図６】
0003129591.tif 000008
【図７】
0003129591.tif 000009
【図８】
0003129591.tif 000010
【図９】
0003129591.tif 000011
【図１０】
0003129591.tif 000012
【図１１】
0003129591.tif 000013
【図１２】
0003129591.tif 000014